(57)【特許請求の範囲】
【請求項１】
前面に設けた開閉扉に遊技球発射装置の操作ハンドルを取り付けた遊技機において、前記開閉扉の裏面側に設けられた施錠用板金の一部に操作ハンドルの取付座を形成したことを特徴とする遊技球発射装置の操作ハンドルの取付構造。
【請求項２】
前記施錠用板金の一部を、前記開閉扉の裏面に沿って所定幅で延出させてこの延出部に取付座を形成した請求項１に記載の遊技球発射装置の操作ハンドルの取付構造。
【請求項３】
前記延出部を屈曲させて所定方向へ向く板面を形成し、当該板面に前記取付座を形成した請求項２に記載の遊技球発射装置の操作ハンドルの取付構造。
【発明の詳細な説明】
【０００１】
【発明の属する技術分野】
本発明は遊技球発射装置の操作ハンドルの取付構造に関し、特に操作ハンドルの支持強度を向上させた取付構造の改良に関する。
【０００２】
【従来の技術】
図７には遊技機１の概略正面図を示す。遊技機１の上半は遊技盤の遊技領域を覆う四角いガラス窓１１１を有するガラス扉１１となり、下半は一方の短辺に沿って配したヒンジ１２１により開閉可能な開閉扉としての長方形状の樹脂製皿部材１２となっている。皿部材１２には表面の中央上下位置に上球皿２１と下球皿２２が設けられるとともに、下球皿２２に隣接して、取付構造を後述する遊技球発射装置の操作ハンドル３が設けられている。皿部材１２の他方の短辺に沿った裏面側には施錠用板金６が設けられて、前面枠に設けられた施錠用フックと係合するようになっている。
【０００３】
すなわち、施錠用板金６には図８に示すように、長方形の金属板の上下位置に施錠用フック５が進入係合する縦長の長孔６１が形成されており、上下の３個所に設けられた取付穴６２に挿入したネジ６３（図９）により、皿部材１２の裏面パネル１２３に設けた筒状スペーサ１２４上に支持固定されている。施錠用フック５は、前面枠１３に設けたバネ部材（図示略）によって上方（図９の紙面手前側）へ付勢された基板５１に固着されており、皿部材１２を閉鎖すると施錠用フック５の三角頭部が施錠用板金６の長孔６１内に進入した後、上方へ復帰して施錠用板金６と係合し（図８）、これによって皿部材１２が閉鎖状態でロックされる。構造公知の操作ハンドル３は、皿部材１２の表面パネル１２２を貫通して裏面パネル１２３に至る筒状支持部３２によって表面パネル１２２の前方位置に支持されており、支持部３２の基端はそのフランジ部３２１によって裏面パネル１２３にネジ止め固定されている。
【０００４】
【発明が解決しようとする課題】
しかし、上記従来の操作ハンドル取付構造では、操作ハンドル３を樹脂製の皿部材１２に支持させているため、遊技者によって強く操作されると皿部材１２が変形して操作ハンドル３の支持状態が不安定になるという問題があった。
【０００５】
そこで、本発明はこのような課題を解決するもので、操作ハンドルを確実に支持することができる遊技球発射装置の操作ハンドルの取付構造を提供することを目的とする。
【０００６】
【課題を解決するための手段】
上記目的を達成するために、本第１発明では、前面に設けた開閉扉（１２）に遊技球発射装置の操作ハンドル（３）を取り付けた遊技機（１）において、開閉扉（１２）の裏面側に設けられた施錠用板金（４）の一部に操作ハンドル（３）の取付座（４３）を形成する。本第１発明においては、操作ハンドルを施錠用板金に固定したから、遊技者が強い力で操作しても操作ハンドルは施錠用板金によって確実に支持され、その支持状態が不安定になることはない。なお、上記開閉扉は樹脂製、金属製のいずれでも良い。
【０００７】
本第２発明では、本第１発明の取付構造において、上記施錠用板金（４）の一部を、開閉扉（１２）の裏面に沿って所定幅で延出させてこの延出部（４２）に取付座（４３）を形成する。本第２発明においては、施錠用板金から側方ヘ延出させた延出部に取付座を設けてここに操作ハンドルを固定しているから、操作ハンドルの設置位置が施錠用板金本体から離れている場合にも容易に対応することができる。
【０００８】
本第３発明では、本第２発明の取付構造において、上記延出部（４２）を屈曲させて所定方向へ向く板面を形成し、当該板面に上記取付座（４３）を形成する。本第３発明においては、施錠用板金の延出部の屈曲形状を変更することにより、取付座が向く方向を容易に変更することができるから、皿部材の表面から突出する操作ハンドルの向きを広い範囲で設定することができる。
【０００９】
なお、上記カッコ内の符号は、後述する実施形態に記載の具体的手段との対応関係を示すものである。
【００１０】
【発明の実施の形態】
図１には遊技機１の概略正面図を示し、その基本構造は既に従来技術で説明したものと同様である。すなわち、遊技機１の上半は遊技盤の遊技領域を覆う四角いガラス窓１１１を有するガラス扉１１であり、下半は開閉扉としての長方形状の樹脂製皿部材１２となっている。皿部材１２は一方の短辺に沿って配したヒンジ１２１により開閉可能であり、表面の中央上下位置に上球皿２１と下球皿２２が設けられている。そして、下球皿２２に隣接して、取付構造を後述する遊技球発射装置の操作ハンドル３が設けられている。
【００１１】
皿部材１２の他方の短辺に沿った裏面側には施錠用板金４が設けられており、その詳細を図２に示す。図２において、施錠用板金４は縦長の長方形状の本体部４１と、この本体部４１の下半から側方へ一定幅で延出する延出部４２とからなっている。本体部４１には板面の上下位置に施錠用フック５が進入係合する縦長の長孔４１１が形成されている。一方、延出部４２は図３に示すように、皿部材１２の裏面パネル１２３の凹部に沿って、平面視で途中が三角形状に屈曲しており、当該屈曲部４２１の一方の傾斜板面には４箇所に取付孔４３１（図２）が設けられて所定方向へ向く取付座４３となっている。施錠用板金４は本体部４１の上下の３個所に設けられた取付穴４１２と、延出部４２の端部板面に設けた４箇所の取付孔４２２にそれぞれネジ４１３，４２３（図３）を挿入して、皿部材１２の裏面パネル１２３に設けた筒状スペーサ１２４上に支持固定されている。施錠用フック５は、前面枠１３に設けたバネ部材（図示略）によって上方（図３の紙面手前側）へ付勢された基板５１に固着されており、皿部材１２を閉鎖すると施錠用フック５の三角頭部が施錠用板金４の長孔４１１内に進入した後、上方へ復帰して施錠用板金４と係合し（図２）、これによって皿部材１２が閉鎖状態でロックされる。
【００１２】
構造公知の操作ハンドル３は、皿部材１２の表面パネル１２２(図３)と裏面パネル１２３を斜めに貫通する筒状支持部３１に支持され、当該支持部３１の基端の四隅に設けられた取付孔３１１内に、施錠用板金４の取付座（傾斜板面）４３の４つの取付孔４３１に挿入されたネジ４３２がそれぞれ捩じ込まれて、施錠用板金４に固定されている。
【００１３】
このような取付構造においては、操作ハンドル３は支持部３１を介して施錠用板金４に固定されており、この施錠用板金４は皿部材１２を閉鎖した状態では、前面枠１３側に設けた施錠用フック５と係合して位置決めされている。したがって、遊技者が強い力で操作しても操作ハンドル３は施錠用板金４によって確実に支持され、その支持状態が不安定になることはない。本実施形態においては、施錠用板金４の延出部４２の屈曲形状を変更することにより、取付座４３が向く方向を容易に変更することができるから、皿部材１２の表面から突出する操作ハンドル３の向きを広い範囲で設定することができる。また、施錠用板金４の本体部４１から側方ヘ延出させた延出部４２に取付座４３を設けてここに操作ハンドル３の支持部３１を固定しているから、操作ハンドル３の設置位置が本体部４１から離れている場合にも容易に対応することができる。
【００１４】
本発明は種々のタイプの遊技機に適用することができる。例えば上球皿２１と下球皿２２が分離されておらず、一体の球皿としたものにも適用できることはもちろんである。また、図４に示すように上球皿２１がガラス扉１１に、下球皿２２が皿部材１２に設けられ、皿部材１２に操作ハンドル３が設置されているもの、あるいは図５に示すように操作ハンドル３がガラス扉１１に設けられているもの、さらに図６に示すように皿部材が特に設けられず、球皿２がガラス扉１１に設けられて、これに操作ハンドル３が設置されているもの等においても、施錠用板金４の延出部４２に取付座を設けてここに操作ハンドル３を固定する構造とすることができる。
【００１５】
【発明の効果】
以上のように、本発明の操作ハンドルの取付構造によれば、遊技者が強い力で゛操作しても操作ハンドルを確実に支持することができる。
【図面の簡単な説明】
【図１】本発明の一実施形態を示す、遊技機の全体概略正面図である。
【図２】施錠用板金の全体斜視図である。
【図３】操作ハンドル取付部の水平断面図である。
【図４】本発明の他の実施形態を示す遊技機の全体概略正面図である。
【図５】本発明の他の実施形態を示す遊技機の全体概略正面図である。
【図６】本発明の他の実施形態を示す遊技機の全体概略正面図である。
【図７】従来例を示す、遊技機の全体概略正面図である。
【図８】施錠用板金の全体斜視図である。
【図９】操作ハンドル取付部の水平断面図である。
【符号の説明】
１…遊技機、１２…皿部材、３…操作ハンドル、４…施錠用板金、４１…本体部、４２…延出部、４３…取付座。
【図１】
0003823023.tif 000002
【図２】
0003823023.tif 000003
【図３】
0003823023.tif 000004
【図４】
0003823023.tif 000005
【図５】
0003823023.tif 000006
【図６】
0003823023.tif 000007
【図７】
0003823023.tif 000008
【図８】
0003823023.tif 000009
【図９】
0003823023.tif 000010